(57)【要約】  ページング・グループの取り扱いのための方法および装置は、無線送受信ユニット（ＷＴＲＵ）をページング・グループにグループ化することを含む。ページング・グループはページング時点（paging occasion）を割り当てられ、かつページングの存在がＷＴＲＵに示される。
2010517478.tif 000002
【特許請求の範囲】
【請求項１】
ページング・グループの取り扱いのための方法であって、
無線送受信ユニット（ＷＴＲＵ）を、少なくとも１つのページング・グループにグループ化するステップと、
前記少なくとも１つのページング・グループにページング時点を割り当てるステップと、
前記ＷＴＲＵにページングの存在を示すステップと
を備えることを特徴とする方法。
【請求項２】
前記少なくとも１つのページング・グループ中のＷＴＲＵにＤＲＸサイクル長を割り当てるステップをさらに備えることを特徴とする請求項１に記載の方法。
【請求項３】
前記ＷＴＲＵのＤＲＸサイクル長が同一ではないことを特徴とする請求項２に記載の方法。
【請求項４】
前記少なくとも１つのページング・グループが数値的に決定されることを特徴とする請求項１に記載の方法。
【請求項５】
前記少なくとも１つのページング・グループがＷＴＲＵの識別子に基づき決定されることを特徴とする請求項４に記載の方法。
【請求項６】
前記少なくとも１つのページング・グループが前記ＷＴＲＵのＩＭＳＩに基づき決定されることを特徴とする請求項５に記載の方法。
【請求項７】
前記少なくとも１つのページング・グループが論理的に決定されることを特徴とする請求項１に記載の方法。
【請求項８】
ページング・グループが前記ＷＴＲＵのサービス・カテゴリーに基づくことを特徴とする請求項７に記載の方法。
【請求項９】
ページング・グループが前記ＷＴＲＵの発信ネットワークに基づくことを特徴とする請求項７に記載の方法。
【請求項１０】
時間ドメインにおいて前記ページング時点を前記ＷＴＲＵに分配するステップをさらに備えることを特徴とする請求項１に記載の方法。
【請求項１１】
基本ページング時点オフセットを決定するステップをさらに備えることを特徴とする請求項１０に記載の方法。
【請求項１２】
前記基本ページング時点オフセットが数値的に決定されることを特徴とする請求項１１に記載の方法。
【請求項１３】
前記基本ページング時点オフセットが論理的に決定されることを特徴とする請求項１１に記載の方法。
【請求項１４】
ページング・グループを基本ページング・オフセット位置にマッピングするステップをさらに備えることを特徴とする請求項１３に記載の方法。
【請求項１５】
前記ページングの存在がＬＴＥインジケータにおけるビットマップ中の１ビットの値によって示されることを特徴とする請求項１に記載の方法。
【請求項１６】
前記ページングの存在がＬＴＥページング・メッセージによって示されることを特徴とする請求項１に記載の方法。
【請求項１７】
前記ＬＴＥページング・メッセージが、ページングが存在するＷＴＲＵのＩＭＳＩを含むことを特徴とする請求項１６に記載の方法。
【請求項１８】
受信機と、
送信機と、
前記受信機および前記送信機と通信状態にある処理装置であって、無線送受信ユニット（ＷＴＲＵ）を少なくとも１つのページング・グループにグループ化し、前記少なくとも１つのページング・グループにページング時点を割り当て、および前記ＷＴＲＵにページングの存在を示すように構成される処理装置と
を備えたことを特徴とする基地局。
【請求項１９】
前記処理装置が、前記少なくとも１つのページング・グループ中のＷＴＲＵにＤＲＸサイクル長を割り当てるようにさらに構成されることを特徴とする請求項１８に記載の基地局。
【請求項２０】
前記処理装置が、基本ページング時点オフセットを決定するようにさらに構成されることを特徴とする請求項１８に記載の基地局。
【請求項２１】
前記処理装置が、ページング・グループを基本ページング時点オフセット位置に対応付けるようにさらに構成されることを特徴とする請求項１８に記載の基地局。
【請求項２２】
前記処理装置が、前記ページングの存在をＬＴＥインジケータにおけるビットマップ中の１ビットの値によって示すようにさらに構成されることを特徴とする請求項１８に記載の基地局。
【請求項２３】
前記処理装置が、前記ページングの存在をＬＴＥページング・メッセージによって示すようにさらに構成されることを特徴とする請求項１８に記載の基地局。
【請求項２４】
受信機と、
送信機と、
前記受信機および前記送信機と通信状態にある処理装置であって、ページング時点の間ウェイクアップし、前記ＷＴＲＵに対してページングが存在するか否かを判定し、および前記ページングが存在するかの前記判定に基づきＬＴＥのＰＤＳＣＨを読み出すように構成される処理装置と
を備えたことを特徴とする無線送受信ユニット（ＷＴＲＵ）。
【請求項２５】
前記処理装置が、ＬＴＥページング・メッセージを受信するように、および前記ＷＴＲＵに対してページングが存在するか否かを判定するようにさらに構成されることを特徴とする請求項２４に記載の無線送受信ユニット（ＷＴＲＵ）。
【請求項２６】
前記処理装置が、前記ＷＴＲＵに対してページングが存在するかを判定するために、ＬＴＥインジケータにおけるビットマップ中の１ビットの値を読み出すようにさらに構成されることを特徴とする請求項２４に記載の無線送受信ユニット（ＷＴＲＵ）。
【発明の詳細な説明】
【技術分野】
【０００１】
本発明は無線通信に関する。
【背景技術】
【０００２】
３ＧＰＰ（3rd Generation Partnership Project）のＬＴＥ（Long Term Evolution）プログラムに対する成果の１つは、新しいＬＴＥの設定および構成に、新技術、新しいアーキテクチャ、および新しい方法をもたらすことである。ＬＴＥプログラムは、スペクトル効率の改善、待ち時間の削減、および無線リソースのより優れた利用を提供するために企てられたものであり、その結果、より少ない関連コストによる、より速いユーザー・エクスペリエンス、並びにより豊かなアプリケーションおよびサービスを提供する。
【０００３】
モバイル端末の待機状態（idle mode）でのページング受信に関しては、ＬＴＥシステムは、ダウンリンクのＬｌ（layer1：レイヤー１）およびＬ２（layer2：レイヤー２）の制御信号方式チャネルを使用して、ページング・インジケータを同一のページング・グループ識別子を有する無線送受信ユニット（ＷＴＲＵ）のグループに信号送出する。しかしながら、これは待機状態でのページングの基本的条件（例えば、システム全体のページング容量、システムのページング負荷分布、および単一のＷＴＲＵページング・グループ内でのＷＴＲＵへの異なったＤＲＸ（Discontinuous Reception）サイクル長の割り当てにおける柔軟性）に関するページング・グループの取り扱い（handling）の、ある態様の実施方法において現実的で無い場合がある。
【０００４】
したがって、ページング・グループを取り扱うための方法および装置を提供することが有益であろう。
【発明の概要】
【０００５】
ページング・グループの取り扱いのための方法および装置が開示される。本方法は、無線送受信ユニット（ＷＴＲＵ）をページング・グループにグループ化することを含む。ページング・グループはページング時点（paging occasion）を割り当てられ、かつページングの存在がＷＴＲＵに示される。
【図面の簡単な説明】
【０００６】
添付図面に関連して例として与えられた以下の記述から、より詳細な理解を得ることができる。
【図１】複数のＷＴＲＵおよび１つの基地局を含む無線通信システムの一例を示す図である。
【図２】図１のＷＴＲＵおよび基地局の機能ブロック図である。
【図３】ページング・グループを取り扱う方法のフロー図である。
【図４】基本ページング時点の一例を示す図である。
【図５】ページング・グループのビットマップ表現の一例を示す図である。
【図６】ＬＴＥページング・メッセージの一例の図である。
【発明を実施するための形態】
【０００７】
本明細書で参照される場合、用語「ＷＴＲＵ（Wireless Transmit Receive Unit：無線送受信ユニット）」は、限定的ではなく、ＵＥ（User Equipment：ユーザー装置）、移動局、固定型または移動体の加入者ユニット、ページャー、携帯電話、ＰＤＡ（Personal Digital Assistant：携帯情報端末）、コンピューター、または無線環境において動作する能力のある他の任意の種別のユーザー・デバイスをも含む。また、用語「基地局（base station）」は、限定的ではなく、ノードＢ（Ｎｏｄｅ−Ｂ）、サイト制御装置、アクセス・ポイント（ＡＰ）、または無線環境において動作する能力のある他の任意の種別のインターフェイス・デバイスをも含む。
【０００８】
図１は、複数のＷＴＲＵ１１０および１つの基地局１２０を含む無線通信システム１００を示す。図１に示されるように、ＷＴＲＵ１１０は例として、ＷＴＲＵ１１０1を含む「Ａ」、ＷＴＲＵ１１０2を含む「Ｂ」、およびＷＴＲＵ１１０3を含む「Ｃ」と示された３つのページング・グループに分けられる。ＷＴＲＵ１１０は、基地局１２０と通信している。図１にはＷＴＲＵ１１０および基地局１２０の一例の構成が表現されるが、無線通信システム１００には、無線のデバイスおよび有線のデバイスのいずれの組み合わせをも含むことができることが注意されるべきである。
【０００９】
図２は、図１の無線通信システム１００のＷＴＲＵ１１０および基地局１２０の機能ブロック図２００である。図２に示されるように、ＷＴＲＵ１１０は基地局１２０と通信しており、かつ両方がページング・グループの取り扱い方法を実行するように構成される。
【００１０】
ＷＴＲＵ１１０は、通常のＷＴＲＵにおいて見出すことができる構成要素に加えて、処理装置１１５、受信機１１６、送信機１１７、およびアンテナ１１８を含む。処理装置１１５は、ページング・グループの取り扱い手順を実行するように構成される。受信機１１６および送信機１１７は、処理装置１１５と通信する。アンテナ１１８は、受信機１１６および送信機１１７の両方と通信し、無線データの送信および受信を容易にする。
【００１１】
基地局１２０は通常の基地局１２０において見出すことができる構成要素に加えて、処理装置１２５、受信機１２６、送信機１２７、およびアンテナ１２８を含む。処理装置１２５は、ページング・グループの取り扱い手順を実行するように構成される。受信機１２６および送信機１２７は、処理装置１２５と通信する。アンテナ１２８は、受信機１２６および送信機１２７の両方と通信し、無線データの送信および受信を容易にする。
【００１２】
ＷＴＲＵ１１０での入力（incoming）ページングの着信は確率事象である。これは、省電力に関して現実的である限りＷＴＲＵ１１０を待機状態に維持するという要件の観点から考慮されるべきである。ＷＴＲＵ１１０は、ページングの着信をチェックするために、定期的に「ウェイクアップ（wake up）」すべきである。したがって、１つのページング・グループ内の異なったＷＴＲＵ１１０には異なったＤＲＸサイクル長を有することを可能とし、適当な量のＷＴＲＵ１１０のページング・グループに対応することが望ましい場合がある。一例においては、最小のページング時点の時間単位は１ＬＴＥフレームである。
【００１３】
図３はページング・グループの取り扱いの方法３００のフロー図である。ステップ３１０にて、ＷＴＲＵ１１０はページング・グループにグループ化される。例えば図１を参照すると、ＷＴＲＵ１１０1はページング・グループＡに、ＷＴＲＵ１１０2はページング・グループＢに、およびＷＴＲＵ１１０3がページング・グループＣに配置される。
【００１４】
ＬＴＥネットワークにおいては、ＰＧ−ＩＤ（Paging Group Identity：ページング・グループ識別子）を有するページング・グループは多くの方法にて定義することができる。例えば、ＩＭＳＩ（International Mobile Subscriber Identity）、またはＴＭＳＩ（Temporary Mobile Subscriber Identity）などの、ＷＴＲＵエンティティにより数値的にＷＴＲＵをグループ化することが可能である。しかしながらＴＭＳＩの一時的な性格が故に、待機状態におけるページングの取り扱いに対してはＩＭＳＩがＬＴＥにおいて使用されるべきより安定した識別子である場合がある。あるいは、サービス分類または分別、ネットワーク・サービスの処理の差異性、および支払い顧客優先順位付け（paying customer prioritization）の目的のために、ページング・グループをネットワーク事業者（network operator）が論理的にグループ化することが可能である。
【００１５】
グループ化が数値的である場合には、以下の例としての方法を利用することができる。
ＰＧ−ＩＤ＝（ＩＭＳＩ  ｍｏｄ  ＤＲＸサイクル長）、または
ＰＧ−ＩＤ＝（ＩＭＳＩ  ｄｉｖ  ＤＲＸサイクル長）＋（ＩＭＳＩ  ｍｏｄ  ＤＲＸサイクル長）
【００１６】
ＬＴＥシステムによって、特定のＷＴＲＵに対するすべてのページング時点が決定され、かつ最短のＤＲＸサイクル長に関する自身のＩＭＳＩ（またはＴＭＳＩ）の同様の数値的特性を有するＷＴＲＵのグループが定義された場合に、結果としてページング・グループ、ＰＧ−ＩＤは、基本的ページング時点オフセット・フレーム番号になる。ＷＴＲＵ１１０は、上記の式の内の１つで割り当てられるＩＭＳＩによりそれ自身のＰＧ−ＩＤを導出することが可能である。例えば、ＷＴＲＵ１１０にＩＭＳＩとして１８９２２が割り当てられ、かつネットワークからの（例えばシステム情報ブロードキャストにおいて公開される）ＤＲＸサイクル長が３２である場合には、そのＷＴＲＵに対するＰＧ−ＩＤは、第１の式に従って１０（すなわち１８９２２  ｍｏｄ  ３２＝１０）となるであろう。
【００１７】
グループ化が論理的である場合には、ネットワーク事業者はＷＴＲＵ１１０をある優先順位または差異的処理を必要とするものに基づき一連のＷＴＲＵにグループ化しようとする場合がある。この場合においてＷＴＲＵ１１０は、サービス／ネットワーク提供者（provider）によって、特定のサービス・カテゴリー内で、発信ネットワーク（network origin）内で、または他の特性を使用して、種々の論理的ページング・グループに割り当てられる。グループ化の例としては、ＷＴＲＵ  ＩＭＳＩのＭＮＣ（Mobile Network Code）、ＭＣＣ（Mobile Country Code）、またはＷＴＲＵのＩＭＳＩのＭＳＩＮ（Mobile Station Identification Number）のある属性に依存する場合がある。ネットワーク事業者は、以下の可能な組み合わせのいくつかを使用して、ページング時点グループ識別子を定義することができる。  
ＰＧ−ＩＤ＝Ｅ−ＵＴＲＡＮ接頭辞｜｜ＭＮＣ｜｜Ｅ−ＵＴＲＡＮ接尾辞；
ＰＧ−ＩＤ＝Ｅ−ＵＴＲＡＮ接頭辞｜｜ＭＣＣ｜｜Ｅ−ＵＴＲＡＮ接尾辞；または、
ＰＧ−ＩＤ＝Ｅ−ＵＴＲＡＮ接頭辞｜｜（ＭＳＩＮ論理パーティション）｜｜Ｅ−ＵＴＲＡＮ接尾辞；
【００１８】
ここで、Ｅ−ＵＴＲＡＮ接頭辞およびＥ−ＵＴＲＡＮ接尾辞は、その後の動作において別のＰＧ−ＩＤに対して使用されるもの以外の任意の値であることが可能である。あるいは、他の必要な特性を有するＰＧ−ＩＤを割り当てることができる。
【００１９】
Ｅ−ＵＴＲＡＮネットワークが特定のページング・インジケーションを送出したか、または送出しつつあるかをチェックするために、待機状態のＷＴＲＵは定期的にウェイクアップするため、ページング時点がページング・グループに割り当てられる（ステップ３２０）。ページング時点は、ＬＴＥフレームの始めに起こる場合があり、自身がページングされているかをチェックするためにＷＴＲＵがウェイクアップするべき特定の時間を定義する。ＬＴＥシステムは、任意の時点でのページング負荷が均等化され、そして自身のスリープ／ウェイクアップのサイクル（すなわちＤＲＸサイクル）に関して最小遅延にてＷＴＲＵがページングを受信するように、時間ドメインにおいてこれらのページング時点を分配する。
【００２０】
ステップ３３０において、１つのページング・グループ内のＷＴＲＵに、種々のＤＲＸサイクル長を割り当てる場合がある。従って、特定のページング・グループに対して、ＰＧ−ＩＤに関して、システムは、フレーム番号に相当するであろう基本ページング時点オフセットを決定せねばならないことになる。その後の、そして継続するページング時点は、基本ページング時点オフセットの上に構築される。この基本ページング時点オフセット（base paging occasion offset）をＰＯ−ＧＰと呼ぶ場合がある。
【００２１】
種々のＤＲＸサイクル長を有する種々のＷＴＲＵに対する全体ページング時点の分配において、ＰＯ−ＧＰは、システム・フレームの始めにて、オフセット・フレーム番号として使用されるナンバースケール（number scale）を表す。これは、ＷＴＲＵがそれが属するページング・グループにかかわらず持つことができる可変ＤＲＸサイクル長割り当てにより、そのＬＴＥシステムによる最短のＤＲＸサイクル長であることができる。特定のＷＴＲＵ１１０は、最短のＤＲＸサイクルまたは最長のＤＲＸサイクルを持つことができる。図４は、一例としての基本ページング時点４００を示す。図４は、ＰＧ−ＩＤ「Ａ」の中の、またＰＯ−ＧＰ「１」を含むＷＴＲＵ１１０のグループを示す。これらのＷＴＲＵは、８または１６として示される異なったＤＲＸサイクル長を有する。従ってＷＴＲＵは、ＳＦＮ（System Frame Number：システム・フレーム番号）のタイムスケールにてそれらそれぞれのページング時点を予想することができる。例えば、ＤＲＸサイクル長＝１６を持つＷＴＲＵは、ＳＦＮ１、１７、３３、等にてそのページングを予想することができ、一方ＤＲＸサイクル長＝８を持つＷＴＲＵは、ＳＦＮ１、９、１７、２５、３３、等にてそのページングを予想するであろう。ＤＲＸサイクル長の間の選択には、性能対省電力に関する問題を含む場合がある。例えば、ＤＲＸサイクル長が８のＷＴＲＵは、より多くの電力を消費する場合があるが、ページングを受信するより多くの機会を持つことができ、より速い着信呼の受信、等がもたらされる。
【００２２】
同様に、ＰＧ−ＩＤに対して、ＰＯ−ＧＰは数値的に、または論理的に決定することができる。例えばＰＯ−ＧＰは、以下の式により数値的に決定することができる。  
ＰＯ−ＧＰ＝ＰＧ−ＩＤ  ｍｏｄ  ＤＲＸサイクル長、
このＤＲＸサイクル長は、システムによって定義される最小のＤＲＸサイクル長である。
【００２３】
ＰＯ−ＧＰもまた、特に論理的に形成されたそれらのページング・グループに対しては論理的に編成することが可能である。この場合において、ＰＧ−ＩＤをＰＯ−ＧＰに数値的に翻訳するための簡単なやり方がない、例えばＰＧ−ＩＤが連続して配列されていないなら、ＰＧ−ＩＤはマッピング表を介してＰＯ−ＧＰに変換される。マッピング表はまた、意図しているＰＯ−ＧＰ分配を達成するために、または例えば再割当てが容易に配置可能であるように、割り当ての柔軟性を保有するために使用することができる。表１は、ＰＧ−ＩＤからＰＯ−ＧＰへのマッピング表の一例を示す。
【００２４】
【表１】
2010517478.tif 000003
【００２５】
Ｎmax-PG-IDが、そのＬＴＥシステムが対応できることになるページング・グループの最大数であることに注意するべきである。φは、最短のＤＲＸサイクル長マイナス１より小さいかまたは等しい（φ＜最短のＤＲＸサイクル長−ｌ）絶対値である。複数のページング・グループを同一のＰＯ−ＧＰに割り当てることが可能である。
【００２６】
システム的見方から、ページング性能を維持することと共に、ページング負荷を平準化するように、ＰＯ−ＧＰは最短のＤＲＸサイクルにおいてカバーされるすべてのフレーム時点に分配される必要がある。さらに、ＤＲＸサイクル長の柔軟性を維持可能であり、かつシステム・ページング能力を最大化できるように、同一のＰＯ−ＧＰに１つより多いページング・グループを割り当てることが可能である。
【００２７】
ＬＴＥのＷＴＲＵおよびシステムにおいて、任意のＤＲＸサイクル長を有する全体的継続的ページング時点（すなわち「ＰＯ−ＦＮ」（Paging Occasion Frame Numbers：ページング時点フレーム番号））が、
ＰＯ−ＦＮ＝ＰＯ−ＧＰ＋ｎ＊ＤＲＸサイクル長
によって計算される。ここで、ｎ＝０、１、２、・・・、であり、結果としてのＰＯ−ＦＮは、最大のシステム・フレーム番号限界を超えずに、かつＤＲＸサイクル長はＷＴＲＵ単位で割り当てられるものとする。この様にして、任意の特定のＷＴＲＵ１１０に対するページング状態が示される（ステップ３４０）。
【００２８】
待機状態ＤＲＸサイクル中のＷＴＲＵ１１０が、それぞれのページング時点ＰＯ−ＦＮにて、ならびにそのページング時点のグループまたは同一ＰＯ−ＧＰを持つ他のグループにおけるＷＴＲＵ１１０が、それが属するＰＯ−ＧＰおよびそれが割り当てられたＤＲＸサイクル長に基づき、ページング・インジケーションを読み出すためにウェイクアップする（ステップ３５０）。ＷＴＲＵ１１０の複数のグループが同時に自身のグループに向けられたページング状態を見付けるためにページング・インジケータをチェックする過程にある場合があるため、システムは、ページング・インジケータの限られた空間においてより多くのページング・グループを収容し、かつ同時に複数のページング・グループ状態インジケーションのためにその空間を効率的に編成する必要がある場合がある。
【００２９】
この要件に対応する１つの方法は、あるページング時点（ＰＯ−ＧＰ）に属しているページング・グループのページング状態を表すために、ビットマップ方法を使用することである。マッピングにおけるビット、すなわちページング状態ビットは、特定のページング・グループがページングされている（例えばビット値「１」）か、またはページングされていない（例えばビット値「０」）かを表すであろう。図５は、ページング・グループ５００のビットマップ表現の一例を示す。図５に示されるように、ページング・グループＩＤ「Ａ」は１のＰＯーＧＰを含み、ページング・グループＩＤ「Ｂ」は４のＰＯーＧＰを含み、そしてページング・グループＩＤ「Ｃ」は１のＰＯーＧＰを含む。ページング・グループ中のそれぞれのＷＴＲＵは、グループのページング時点の間に、そしてそのＷＴＲＵのＤＲＸサイクル長に従って、図５において示される矢印によって表されるように、そのＷＴＲＵに対してページングが存在するか否かを判定するために、ビットマップ中のページング状態ビットを読み出す。
【００３０】
ビットマップの構造は、本質的にはビット−０が最小のＰＧ−ＩＤを持つページング・グループを表現し、ビット−１がＰＧ−ＩＤの次の値を持つグループを表現する等のＮビットまでの列である。表２は、あるＰＯ−ＧＰに対するビットマップの一例を示す。
【００３１】
【表２】
2010517478.tif 000004
【００３２】
ここで、ＰＧ−ＩＤ−ａ１＜ＰＧ−ＩＤ−ａ２＜ＰＧ−ＩＤ−ａ３＜...＜ＰＧ−ＩＤ−ａｎである。
【００３３】
それぞれのＰＯ−ＧＰ位置あたり１つで、システムにおいてはＮ（すなわちＮ＝最短ＤＲＸサイクル長−１）のビットマップになる。Ｅ−ＵＴＲＡＮシステムは、システム情報ブロードキャストにおいてこのＰＧ−ＩＤ／ＰＯ−ＧＰマッピングをブロードキャストする。表３は、ページング時点に対するＰＧ−ＩＤマッピング・ビットマップを示す。
【００３４】
【表３】
2010517478.tif 000005
【００３５】
しかしながら、Ｅ−ＵＴＲＡＮシステムが表１において説明されたアプローチを採用し、かつ表１を公開した場合には、ＷＴＲＵ１１０は表２において指定された規則に基づきそのページング・グループのビット位置を計算することができる。
【００３６】
以前に説明されたように、待機状態にあるＷＴＲＵ１１０は、ＰＯ−ＦＮにより示されるページング時点にてウェイクアップして、そしてページング・インジケータをチェックする。割り当てられたＰＧ−ＩＤおよびビットマップにおけるビット位置に基づき、ＷＴＲＵ１１０は、そのページング・グループ、または複数のグループに、ページング・グループ・ビットマップのビット位置Ｊが設定されているか否かを含む場合がある、アクティブなページングがあるかをチェックする。
【００３７】
ビット位置が設定されている（すなわち、ページングが示されている）なら、ＷＴＲＵ１１０は、上位層のページング・メッセージが、ページングされるＷＴＲＵ１１０のそれぞれの正確なＩＭＳＩ／ＴＭＳＩを記載してある、ページング・インジケータのＲＢ（Radio Bearer：無線ベアラー）‐割り付け部分により記述される、ＬＴＥの物理チャネル（ＰＤＳＣＨ）を読み出す（ステップ３６０）。ＷＴＲＵ１１０がそのＩＭＳＩ／ＴＭＳＩと正確に合致するものを見出すなら、それは、そのＷＴＲＵ１１０に対してページングが存在することを示す。
【００３８】
さらに、ビットマップはＥ−ＵＴＲＡＮによって定義されて、そしてシステム情報において、ＰＧ−ＩＤに関してそのような情報がＰＯ−ＧＰに与えられた場合に、ＰＯ−ＧＰのそれぞれに対してブロードキャストされる。それぞれのＰＯ−ＧＰに対して１つのビットマップのみがブロードキャストされる必要がある。いずれの特定のグループにおけるＷＴＲＵも変化するＤＲＸサイクルを有する場合があるが、従って、それらはすべてのＰＯ−ＦＮに対して同一のビットマップを使用することができる。
【００３９】
一例において、ＷＴＲＵが明確なページングについて信号を受け、そしてその全く同じＷＴＲＵがそのページング接続を実現させるべく（reinstate the paging）直接的に指定される場合には、ＬＴＥのページング・メッセージを使用することができる。図６は、ＬＴＥページング・メッセージ６００の一例の図である。
【００４０】
図６に示されるようにＷＴＲＵはフレーム９にて、真のページング・メッセージ（例えばＬＴＥページング・メッセージ）を伝達する別のチャネルから、そのＷＴＲＵが真のページング・メッセージを受信するための、「ページング状態ビットマップ」および「ＲＢ（ＬＴＥリソース・ブロック）割り付け情報」を含む、ページング・インジケータ（ハッチングされている）を受信する。これはタイミングおよび物理チャネル情報を与える。自身のページング・グループに対するビットマップ状態ビットが設定されていない場合には、ＷＴＲＵは、電力を節約するために真のページング・メッセージを読み出さない場合がある。
【００４１】
ＬＴＥページング・メッセージ６００は、真にページングされたそれぞれのＷＴＲＵに対するページング記録（すなわち真のＷＴＲＵ  ＩＭＳＩ）を含む。ＷＴＲＵは、自身のＰＧ−ＩＤビットが設定されていることを調べるためにビットマップをチェックし、そしてＬＴＥページング・メッセージ６００を読み出すためにＲＢ割り付け情報を使用する。ＷＴＲＵは、自身のＩＭＳＩがページング記録にあることを確認したときに、自身がページングされているということを確定する。
【００４２】
ＬＴＥページング・メッセージにおいて対処することができるＩＭＳＩの数は、その最大にてＬＴＥページング容量を表し、そしてピークのページング負荷を考慮に入れるように設計されるべきである。定義されたＩＭＳＩの伝達する能力が十分大きくない場合には、あるＷＴＲＵ１１０は、ページング確認から外される場合があり、そして着信呼を時間内に受信することができない。
【００４３】
さらに、ＬＴＥページング・メッセージのページング記録は、可能な限り多くのページングされたＷＴＲＵ  ＩＭＳＩを含むべきである。割り付けられたＲＢ空間が限定されるなら、すべてのページング記録／ＩＭＳＩを含むように、拡張を為すことが可能である。拡張は、ページング・インジケータＲＢ−割り付け部にて為すことができるであろう。そこでは、ポインターがＬＴＥページング・メッセージ拡張のために別の、または予備のＲＢ−割り付けを示すことが可能である。あるいは、ＰＣＨドメインにおいて拡張空間を解決することができ、そこでは、ＬＴＥページング・メッセージ拡張のために余分な空間を一時的に提供可能である。
【００４４】
またメッセージ中に可能な限り多くのＩＭＳＩを収容するために、信号方式圧縮の適用が可能である。メッセージ中に重複したＭＣＣおよびＭＮＣは含まれる必要はなく、殆どの場合においてＩＭＳＩのＭＳＩＮの直接的一覧がもたらされ、その結果メッセージ空間を節約する。ＩＭＳＩの形式化はＭＣＣから始まり、次にＭＮＣに移り、そして最後にＭＳＩＮとなる場合がある。ＭＣＣは先行的指数（leading index）であり、その次はＭＮＣである。次のＭＣＣまたはＭＮＣが前のものと異ならない場合には、それらを含める必要はない。ＩＭＳＩ照合に対するＷＴＲＵ検索はまた、照合処理効率を増大させるために、合致していないＭＣＣおよびＭＮＣを飛ばし、合致しているＭＣＣおよびＭＮＣに直接進むことによって、この形式化規則（formatting rule）を利用することが可能である。
【００４５】
特徴および要素が特定の組み合わせにて記述されているが、それぞれの特徴または要素は、他の特徴および要素なしで単独にて、または他の特徴および要素のあるなしにかかわらず様々な組み合わせにて使用可能である。本明細書にて提供される方法またはフロー図は、汎用目的のコンピューターまたは処理装置による実行のための、コンピューターにて読み取り可能な記憶媒体にて具現化されるコンピューター・プログラム、ソフトウェア、またはファームウェアにて実施することができる。コンピューターにて読み取り可能な記憶媒体の例としては、ＲＯＭ（Read Only Memory）、ＲＡＭ（Random Access Memory）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Digital Versatile Disk）などの光学媒体が含まれる。
【００４６】
適切な処理装置の例としては、汎用目的処理装置、専用目的処理装置、従来の処理装置、ＤＳＰ（Digital Signal Processor）、複数のマイクロ処理装置、ＤＳＰコアに関連付けられた１つまたは複数のマイクロ処理装置、制御装置、マイクロ制御装置、ＡＳＩＣ（Application Specific Integrated Circuit）、ＦＰＧＡ（Field Programmable Gate Array）回路、他の何れかの種別のＩＣ、および／または状態マシンが含まれる。
【００４７】
無線送受信ユニット（ＷＴＲＵ）、ユーザー装置（ＵＥ）、端末、基地局、ＲＮＣ（Radio Network Controller：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥースモジュール、ＦＭ（Frequency Modulated）無線ユニット、ＬＣＤ表示ユニット、ＯＬＥＤ（Organic Light−Emitting Diode：有機発光ダイオード）表示ユニット、デジタル音楽プレーヤー、メディア・プレーヤー、テレビゲーム・プレーヤー・モジュール、インターネット・ブラウザー、ならびに／または任意の無線ＬＡＮ（Wireless Local Access Network）モジュールまたはＵＷＢ（Ultra Wide Band）モジュールなどのモジュールと連動して使用することができる。
【００４８】
実施形態：
１．ページング・グループの取り扱いのための方法。
【００４９】
２．無線送受信ユニット（ＷＴＲＵ）を、少なくとも１つのページング・グループにグループ化するステップをさらに具備する、実施形態１の方法。
【００５０】
３．前記少なくとも１つのページング・グループにページング時点を割り当てるステップをさらに具備する、前の実施形態の何れかの方法。
【００５１】
４．前記ＷＴＲＵにページングの存在を示すステップをさらに具備する、前の実施形態の何れかの方法。
【００５２】
５．前記少なくとも１つのページング・グループ中のＷＴＲＵにＤＲＸ（Discontinuous Reception）サイクル長を割り当てるステップをさらに具備する、前の実施形態の何れかの方法。
【００５３】
６．前記ＷＴＲＵのＤＲＸサイクル長が同一ではない、前の実施形態の何れかの方法。
【００５４】
７．前記少なくとも１つのページング・グループが数値的に決定される、前の実施形態の何れかの方法。
【００５５】
８．前記少なくとも１つのページング・グループがＷＴＲＵの識別子に基づき決定される、前の実施形態の何れかの方法。
【００５６】
９．前記少なくとも１つのページング・グループが前記ＷＴＲＵのＩＭＳＩ（International Mobile Subscriber Identity）に基づき決定される、前の実施形態の何れかの方法。
【００５７】
１０．前記少なくとも１つのページング・グループが論理的に決定される、前の実施形態の何れかの方法。
【００５８】
１１．ページング・グループが前記ＷＴＲＵのサービス・カテゴリーに基づく、前の実施形態の何れかの方法。
【００５９】
１２．ページング・グループが前記ＷＴＲＵの発信ネットワークに基づく、前の実施形態の何れかの方法。
【００６０】
１３．時間ドメインにおいて前記ページング時点を前記ＷＴＲＵに分配するステップをさらに具備する、前の実施形態の何れかの方法。
【００６１】
１４．基本ページング時点オフセットを決定するステップをさらに具備する、前の実施形態の何れかの方法。
【００６２】
１５．前記基本ページング時点オフセットが数値的に決定される、前の実施形態の何れかの方法。
【００６３】
１６．前記基本ページング時点オフセットが論理的に決定される、前の実施形態の何れかの方法。
【００６４】
１７．ページング・グループを基本ページング・オフセット位置にマッピングするステップをさらに具備する、前の実施形態の何れかの方法。
【００６５】
１８．前記ページングの存在がＬＴＥインジケータにおけるビットマップ中の１ビットの値によって示される、前の実施形態の何れかの方法。
【００６６】
１９．前記ページングの存在がＬＴＥページング・メッセージによって示される、前の実施形態の何れかの方法。
【００６７】
２０．前記ＬＴＥページング・メッセージが、ページングが存在するＷＴＲＵのＩＭＳＩ（International Mobile Subscriber Identity）を含む、前の実施形態の何れかの方法。
【００６８】
２１．前の実施形態の何れかの方法を実行するように構成される、基地局。
【００６９】
２２．さらに受信機を具備する、実施形態２１の基地局。
【００７０】
２３．さらに送信機を具備する、実施形態２１〜２２の何れかの基地局。
【００７１】
２４．前記受信機および前記送信機と通信状態にある処理装置をさらに具備する、実施形態２１〜２３の何れかの基地局。
【００７２】
２５．処理装置が、無線送受信ユニット（ＷＴＲＵ）を少なくとも１つのページング・グループにグループ化するように、前記少なくとも１つのページング・グループにページング時点を割り当てるように、および前記ＷＴＲＵにページングの存在を示すように構成される、実施形態２１〜２４の何れかの基地局。
【００７３】
２６．処理装置が、前記少なくとも１つのページング・グループ中のＷＴＲＵにＤＲＸ（Discontinuous Reception）サイクル長を割り当てるようにさらに構成される、実施形態２１〜２５の何れかの基地局。
【００７４】
２７．処理装置が、基本ページング時点オフセットを決定するようにさらに構成される、実施形態２１〜２６の何れかの基地局。
【００７５】
２８．処理装置が、ページング・グループを基本ページング時点オフセット位置に対応付けるようにさらに構成される、実施形態２１〜２７の何れかの基地局。
【００７６】
２９．処理装置が、前記ページングの存在をＬＴＥインジケータにおけるビットマップ中の１ビットの値によって示すようにさらに構成される、実施形態２１〜２８の何れかの基地局。
【００７７】
３０．処理装置が、前記ページングの存在をＬＴＥ（Long Term Evolution）ページング・メッセージによって示すようにさらに構成される、実施形態２１〜２９の何れかの基地局。
【００７８】
３１．実施形態１〜２０の何れかの方法を実行するように構成される、無線送受信ユニット（ＷＴＲＵ）。
【００７９】
３２．さらに受信機を具備する、実施形態３１のＷＴＲＵ。
【００８０】
３３．さらに送信機を具備する、実施形態３１〜３２の何れかのＷＴＲＵ。
【００８１】
３４．前記受信機および前記送信機と通信状態にある処理装置をさらに具備する、実施形態３１〜３３の何れかのＷＴＲＵ。
【００８２】
３５．処理装置が、ページング時点の間ウェイクアップするように、前記ＷＴＲＵに対してページングが存在するか否かを判定するように、および前記ページングが存在するかの判定に基づきＬＴＥのＰＤＳＣＨを読み出すように構成される、実施形態３１〜３４の何れかのＷＴＲＵ。
【００８３】
３６．処理装置が、ＬＴＥページング・メッセージを受信するように、および前記ＷＴＲＵに対してページングが存在するか否かを判定するようにさらに構成される、実施形態３１〜３５の何れかのＷＴＲＵ。
【００８４】
３７．処理装置が、前記ＷＴＲＵに対してページングが存在するかを判定するために、ＬＴＥインジケータにおけるビットマップ中の１ビットの値を読み出すようにさらに構成される、実施形態３１〜３６の何れかのＷＴＲＵ。
【図１】
2010517478.tif 000006
【図２】
2010517478.tif 000007
【図３】
2010517478.tif 000008
【図４】
2010517478.tif 000009
【図５】
2010517478.tif 000010
【図６】
2010517478.tif 000011
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
ページング・グループの取り扱いのための方法であって、
無線送受信ユニット（ＷＴＲＵ）を、少なくとも１つのページング・グループにグループ化するステップと、
前記少なくとも１つのページング・グループにページング時点を割り当てるステップと、
前記ＷＴＲＵにページングの存在を示すステップと
を備えることを特徴とする方法。
【請求項２】
前記ページング・グループを論理的に決定するステップをさらに備えることを特徴とする請求項１に記載の方法。
【請求項３】
前記ページング・グループがページング・グループ識別子を含み、
前記ページング・グループ識別子が、ネットワーク接頭辞およびネットワーク接尾辞、ならびにＭＮＣ（Mobile Network Code）、ＭＣＣ（Mobile Country Code）、およびＭＳＩＮ（Mobile Station Identification Number）のグループより選択される識別子を備えることを特徴とする請求項２に記載の方法。
【請求項４】
前記ページングの存在が、ＬＴＥインジケータにおけるビットマップ中の１ビットの値によって示されることを特徴とする請求項１に記載の方法。
【請求項５】
前記ビットマップをブロードキャスト・メッセージにおいてブロードキャストするステップをさらに備えることを特徴とする請求項４に記載の方法。
【請求項６】
リソース・ブロック（ＲＢ）空間が限定されていることを判定するステップと、
ページング・インジケーションのリソース・ブロック割り付けを拡張するステップと
をさらに備えることを特徴とする請求項１に記載の方法。
【請求項７】
補助のＲＢ割り付け空間を生成するステップと、
前記割り付け空間の位置を示すためにポインターを使用するステップと
をさらに備えることを特徴とする請求項６に記載の方法。
【請求項８】
ページング・チャネル（ＰＣＨ）ドメインにおいて補助空間を生成するステップをさらに備えることを特徴とする請求項６に記載の方法。
【請求項９】
前記ページングの存在がＬＴＥページング・メッセージによって示されることを特徴とする請求項１に記載の方法。
【請求項１０】
前記ページング・メッセージから重複するＭＣＣおよびＭＮＣを削除するステップをさらに備えることを特徴とする請求項９に記載の方法。
【請求項１１】
前記ＬＴＥページング・メッセージが、ページングが存在するＷＴＲＵのＩＭＳＩ（International Mobile Subscriber Identity）を含むことを特徴とする請求項９に記載の方法。
【請求項１２】
第１にＭＣＣ、第２にＭＮＣ、および第３にＭＳＩＮにより、前記ＩＭＳＩをフォーマットするステップをさらに備えることを特徴とする請求項１１に記載の方法。
【請求項１３】
受信機と、
送信機と、
前記受信機および前記送信機と通信状態にある処理装置であって、ページング時点の間ウェイクアップし、前記ＷＴＲＵに対してページングが存在するかを判定し、および前記ページングが存在するかの前記判定に基づきＬＴＥのＰＤＳＣＨを読み出すように構成される処理装置と
を備えたことを特徴とする無線送受信ユニット（ＷＴＲＵ）。
【請求項１４】
前記処理装置が、ＬＴＥページング・メッセージを受信し、および前記ＷＴＲＵに対してページングが存在するか否かを判定するようにさらに構成されることを特徴とする請求項１３に記載の無線送受信ユニット（ＷＴＲＵ）。
【請求項１５】
前記処理装置が、前記ＷＴＲＵに対してページングが存在するかを判定するために、ＬＴＥインジケータにおけるビットマップ中の１ビットの値を読み出すようにさらに構成されることを特徴とする請求項１３に記載の無線送受信ユニット（ＷＴＲＵ）。
【国際調査報告】
2010517478.tif 000012
2010517478.tif 000013
2010517478.tif 000014
2010517478.tif 000015